(57)【要約】【課題】心臓など体軸に対し偏った位置にある臓器についても、有効視野の中心に容易に配置させる。【解決手段】実施形態の核医学診断装置は、天板、支持具、コリメータ、検出手段、収集手段、再構成手段及び表示手段を具備する。前記天板は、被検体が載置される。前記支持具は、前記被検体を前記天板の長手方向に対して斜めに支持する。前記コリメータは、前記被検体内から放出されたガンマ線をコリメートするファンビームコリメータ又はピンホールコリメータからなる。前記検出手段は、前記コリメータを通過したガンマ線を検出する。前記収集手段は、前記検出手段の出力に基づいて投影データを収集する。前記再構成手段は、前記投影データに再構成処理を施して画像データを生成する。前記表示手段は、前記画像データを表示する。【選択図】図４
2014035209.tif 000002
【特許請求の範囲】
【請求項１】
被検体が載置される天板と、
前記被検体を前記天板の長手方向に対して斜めに支持する支持具と、
前記被検体内から放出されたガンマ線をコリメートするファンビームコリメータ又はピンホールコリメータからなるコリメータと、
前記コリメータを通過したガンマ線を検出する検出手段と、
前記検出手段の出力に基づいて投影データを収集する収集手段と、
前記投影データに再構成処理を施して画像データを生成する再構成手段と、
前記画像データを表示する表示手段と
を具備することを特徴とする核医学診断装置。
【請求項２】
請求項１に記載の核医学診断装置において、
前記天板は略長方形状を有し、
前記支持具は、
前記天板上に配置され、前記天板の長辺よりも短い長辺を有し、前記天板の短辺よりも長い短辺を有する追加天板
を具備することを特徴とする核医学診断装置。
【請求項３】
請求項１に記載の核医学診断装置において、
前記支持具は、
前記被検体と前記天板との間に配置されるクッションと、
前記クッションと前記天板とを接続するベルトと、
を具備することを特徴とする核医学診断装置。
【請求項４】
請求項１に記載の核医学診断装置において、
前記天板は略長方形状を有し、
前記支持具は、
前記天板上に略水平方向に回転可能に配置され、前記天板の長辺よりも短い長辺を有し、前記天板の短辺よりも長い短辺を有する追加天板
を具備することを特徴とする核医学診断装置。
【請求項５】
被検体内から放出されたガンマ線をコリメートするファンビームコリメータ又はピンホールコリメータからなるコリメータと、
前記コリメータを通過したガンマ線を検出する検出手段と、
前記検出手段の出力に基づいて投影データを収集する収集手段と、
前記投影データに再構成処理を施して画像データを生成する再構成手段と、
前記画像データを表示する表示手段と
を具備し、
前記検出手段は前記被検体の周りを回転させずに固定的に設けられ、
前記コリメータは、前記検出手段の中心軸上に有効視野の中心がないことを特徴とする核医学診断装置。
【発明の詳細な説明】
【技術分野】
【０００１】
本発明の実施形態は、核医学診断装置に関する。
【背景技術】
【０００２】
核医学診断装置では、単光子放出断層撮影（Single Photon Emission Computed Tomography：以下ＳＰＥＣＴと呼ぶ）を実行する際に、被検体に投与された放射性医薬品に含まれるシングルフォトン放出核種（ＲＩ）から放出されるガンマ線を検出器により検出し、回転角度毎の投影データを得る。また、核医学診断装置は、これら投影データに対して再構成処理（以下、ＳＰＥＣＴ再構成ともいう）を施すことにより、被検体の断層面内におけるＲＩの濃度分布に対応したＳＰＥＣＴ画像を生成する。
【０００３】
この種の核医学診断装置では、ガンマ線の入射方向を制限するためのコリメータが検出器の前面に装着されている。図１４はファンビームコリメータ１０１を検出器１０２の前面に備えた例を示している。底辺としてのファンビームコリメータ１０１と当該ファンビームコリメータ１０１の仮想の焦点ｆとを結ぶ二等辺三角形内において、ファンビームコリメータ１０１の回転中心を中心とした当該二等辺三角形に内接する円の領域が有効視野ＥＦとなっている。但し、このようなファンビームコリメータ１０１やピンホールコリメータを用いたＳＰＥＣＴ撮影は有効視野ＥＦが小さい。このため、撮影対象は、有効視野ＥＦの中心に容易に配置可能な臓器又は小動物に限定される。例えば、脳又は小動物は、有効視野ＥＦの中心に容易に配置可能なため、撮影対象となっている。
【先行技術文献】
【非特許文献】
【０００４】
【非特許文献１】Takahashi Y, Murase K, Mochizuki T and et al. Truncation correction of fan beam transmission data for attenuation correction using parallel beam emission data on a 3-detector SPECT system: Nuclear Medicine Communications, p. 623-630, vol. 25, 2004
【発明の概要】
【発明が解決しようとする課題】
【０００５】
しかしながら、以上のようなＳＰＥＣＴ撮影では、図１５に示すように、心臓など体軸に対し偏った位置にある臓器については有効視野ＥＦの中心に配置することが困難なため、撮影対象とすることが困難である。
【０００６】
本発明が解決しようとする課題は、心臓など体軸に対し偏った位置にある臓器についても、有効視野の中心に容易に配置し得る核医学診断装置を提供することである。
【課題を解決するための手段】
【０００７】
実施形態の核医学診断装置は、天板、支持具、コリメータ、検出手段、収集手段、再構成手段及び表示手段を具備する。
【０００８】
前記天板は、被検体が載置される。
【０００９】
前記支持具は、前記被検体を前記天板の長手方向に対して斜めに支持する。
【００１０】
前記コリメータは、前記被検体内から放出されたガンマ線をコリメートするファンビームコリメータ又はピンホールコリメータからなる。
【００１１】
前記検出手段は、前記コリメータを通過したガンマ線を検出する。
【００１２】
前記収集手段は、前記検出手段の出力に基づいて投影データを収集する。
【００１３】
前記再構成手段は、前記投影データに再構成処理を施して画像データを生成する。
【００１４】
前記表示手段は、前記画像データを表示する。
【図面の簡単な説明】
【００１５】
【図１】第１の実施形態に係るＳＰＥＣＴ装置の外観を示す模式図である。
【図２】同実施形態におけるＳＰＥＣＴ装置の一部の外観を示す模式図である。
【図３】同実施形態における位置調整を説明するための模式図である。
【図４】同実施形態におけるＳＰＥＣＴ装置の構成を示すブロック図である。
【図５】同実施形態における効果を説明するための模式図である。
【図６】同実施形態において従来の課題を説明するための模式図である。
【図７】第２の実施形態に係るＳＰＥＣＴ装置の一部の外観を示す模式図である。
【図８】同実施形態における位置調整を説明するための模式図である。
【図９】同実施形態における図８のＡ−Ａ線矢視断面図である。
【図１０】第３の実施形態に係るＳＰＥＣＴ装置の構成を説明するための模式図である。
【図１１】同実施形態における変形例を説明するための模式図である。
【図１２】第４の実施形態に係るＳＰＥＣＴ装置に適用されるコリメータを説明するための模式図である。
【図１３】第１〜第３の実施形態におけるコリメータを説明するための模式図である。
【図１４】一般的なファンビームコリメータを説明するための模式図である。
【図１５】一般的なファンビームコリメータの課題を説明するための模式図である。
【発明を実施するための形態】
【００１６】
以下、各実施形態に係る核医学診断装置について図面を用いて説明するが、その前に、各実施形態の概要を述べる。各実施形態に係る核医学診断装置は、ファンビームコリメータ又はピンホールコリメータ等のコリメータを用いてＳＰＥＣＴ撮影を行うＳＰＥＣＴ装置に適用されている。なお、ファンビームコリメータ又はピンホールコリメータ等のコリメータとは、パラレルホールコリメータの有効視野よりも小さい有効視野をもつコリメータを意味している。
【００１７】
第１〜第３の実施形態は、心臓など体軸に対し偏った位置にある臓器についても、有効視野の中心に容易に配置する観点から、被検体を天板の長手方向に対して斜めに支持する支持具を備える。
【００１８】
第１の実施形態における支持具は、略長方形状の天板上に配置され、天板の長辺よりも短い長辺を有し、天板の短辺よりも長い短辺を有する追加天板を備える。
【００１９】
第２の実施形態における支持具は、被検体と天板との間に配置されるクッションと、クッションと天板とを接続するベルトとを備える。
【００２０】
第３の実施形態における支持具は、略長方形状の天板上に略水平方向に回転可能に配置され、天板の長辺よりも短い長辺を有し、天板の短辺よりも長い短辺を有する追加天板を備える。
【００２１】
一方、第４の実施形態は、支持具ではなく、コリメータを工夫している。具体的には第４の実施形態では、検出器の中心軸上に有効視野の中心がない構造（非対称な構造）のコリメータを備える。これに伴い、第４の実施形態では、検出器は被検体の周りを回転させずに固定的に配置されている。
【００２２】
以下、各実施形態について順次、具体的に説明する。
【００２３】
＜第１の実施形態＞
図１及び図２は第１の実施形態に係るＳＰＥＣＴ装置の外観を示す模式図である。ＳＰＥＣＴ装置１は、寝台３、天板５、ガントリ１０及びコンピュータ装置２０を備える。
【００２４】
寝台３は、被検体Ｐが載置される略長方形の形状を有する天板５と、天板５に載置される略長方形の形状を有する追加天板５ａと、天板５及び追加天板５ａを長手方向、横手方向、上下方向に個々に移動可能に支持する図示していない天板支持機構とを有する。なお、横手方向に沿った追加天板５ａの短辺は天板５の短辺よりも長く、長手方向に沿った追加天板５ａの長辺は天板５の長辺よりも短い。追加天板５ａの短辺は中空部１１の直径よりも長い。
【００２５】
ガントリ１０は、天板５が送り込まれる略円筒形状である中空部１１を有する。中空部１１に天板５が送り込まれた状態において、図３に示すように、中空部１１の中心線に一致する回転軸ＲＡが被検体Ｐ内の撮影対象の臓器Ｔを貫くように、寝台３、天板５及び被検体Ｐの位置が調整される。回転軸ＲＡは、有効視野の中心に位置している。ここで、調整の際には、被検体Ｐと天板５との間にクッション５ｂを配置してもよい。
【００２６】
図４はＳＰＥＣＴ装置の構成を示すブロック図である。ＳＰＥＣＴ装置１では、前述したガントリ１０及びコンピュータ装置２０が互いにケーブル等で接続されている。
【００２７】
ガントリ１０は、円環又は円板状の回転フレーム１２を回転軸ＲＡ周りに回転可能に支持する。回転フレーム１２は、有効視野ＥＦ内の回転軸ＲＡを取り囲むように、前面にコリメータ１３が配置された複数の検出器１４を搭載している。すなわち回転フレーム１２は、コリメータ１３を有する複数の検出器１４を回転軸ＲＡ回りに回転可能に支持する支持機構である。なお有効視野ＥＦには、天板５に載置された被検体Ｐ内の撮影対象の臓器Ｔが含まれている。有効視野ＥＦは撮影視野ＦＯＶと呼んでもよい。回転フレーム１２は、回転駆動部１８からの駆動信号の供給を受けて複数の検出器１４を断続的に回転する。回転フレーム１２は、回転駆動部１８からの駆動信号の供給を受けて所定のタイミング及び所定の回転角度で検出器１４を回転する。具体的には、回転フレーム１２は、収集条件の１つである収集時間だけ停止し、収集時間が過ぎると回転軸ＲＡ周りに所定角度だけ回転し、再び収集時間だけ停止する。所定角度は、収集条件の１つであるビュー数に応じて決定される。なお、ビューとは１の収集時間において収集される投影データの集合である。すなわちビュー数とは、収集回数である。このようにして回転フレーム１２は、停止と回転とを繰り返しながら検出器１４を回転軸ＲＡ周りに１周させる。
【００２８】
コリメータ１３は、ガンマ線遮蔽材からなる複数の隔壁又はピンホールを有するシールドにより、検出器１４に対するガンマ線の入射方向を制限する。すなわち、コリメータ１３は被検体Ｐ内から放出されたガンマ線をコリメートする。本実施形態のコリメータ１３は、前述したファンビームコリメータ又はピンホールコリメータである。
【００２９】
検出器１４は、例えばＮａＩシンチレータに光電子増倍管やフォトダイオードが取り付けられてなる検出素子が２次元状に配列された検出器、またはＣｄＴｅ（テルル化カドミウム）といった化合物半導体片にバイアス電極と信号電極とが取り付けられてなる検出素子が２次元状に配列された検出器である。各検出素子は、収集制御部２８からの制御信号に応じて、被検体Ｐに投与されたシングルフォトン放出核種（ＲＩ）から放出されてコリメータ１３を通過したシングルフォトンのガンマ線を検出し、ガンマ線のフォトン数に応じたアナログの電気信号を生成する。このようにして検出器１４は、被検体の周囲を回転しながら放射線を繰り返し検出し、電気信号を繰り返し生成する。生成された電気信号は、コンピュータ装置２０に収容される位置信号生成部２２とエネルギー信号生成部２４とに供給される。
【００３０】
なお、本実施形態において検出器１４の数は、１以上であれば幾つでも構わないが、以下の説明を具体的に行なうため、検出器１４は２つであるとする。
【００３１】
また、ＳＰＥＣＴ装置１には、上述のように、回転軸ＲＡ周りに回動可能に設けられた数個の検出器を回転させることによりデータを収集する回転タイプの他に、回転軸周りに固定的に設けられた複数の検出器によりデータを収集する固定タイプがある。本実施形態におけるＳＰＥＣＴ装置は、回転タイプとして説明するが固定タイプであってもよい。
【００３２】
コンピュータ装置２０は、位置信号生成部２２、エネルギー信号生成部２４、データ収集部２６、収集制御部２８、前処理部３０、再構成処理部３２、及び画像処理装置４０を備える。
【００３３】
位置信号生成部２２は、各検出器１４からの電気信号をデジタル変換する。そして位置信号生成部２２は、デジタル変換された電気信号に基づいてガンマ線の入射位置を計算し、計算された入射位置を表す位置信号を生成する。
【００３４】
エネルギー信号生成部２４は、各検出器１４からの電気信号をデジタル変換する。そしてエネルギー信号生成部２４は、デジタル変換された電気信号に基づいてガンマ線のエネルギーを表すエネルギー信号を生成する。エネルギー信号は、１つの収集時間において検出器１４により検出された電気信号のカウント数に依存する。
【００３５】
データ収集部２６は、データを蓄積しておくための収集メモリを有する。データ収集部２６は、位置信号生成部２２からの位置信号に対応する収集メモリ上のアドレスを特定し、特定されたアドレスにエネルギー信号生成部２４からのエネルギー信号を蓄積する。このように位置信号に関連付けられたエネルギー信号は、投影データと呼ばれている。データ収集部２６は、収集制御部２８からの制御信号に応じて、再構成処理に必要なビュー分の投影データ、例えば、３６０度分の投影データを収集する。
【００３６】
ここで、位置信号生成部２２、エネルギー信号生成部２４及びデータ収集部２６は、検出器１４の出力に基づいて投影データを収集する収集手段を構成している。
【００３７】
収集制御部２８は、収集条件に応じて回転駆動部１８や検出器１４、データ収集部２６に制御信号を供給し、被検体内のＲＩから放出されたガンマ線をＳＰＥＣＴ収集する。収集条件とは、例えば、ビュー数や、ビュー毎の収集時間、収集拡大率等である。そして収集制御部２８は、再構成処理に必要なビュー分の投影データ、例えば、３６０度分の投影データをデータ収集部２６に収集させる。
【００３８】
前処理部３０は、ＳＰＥＣＴ装置において一般的に行なわれている回転中心補正や散乱腺補正、均一性補正などの前処理を、収集された投影データに施す。
【００３９】
再構成処理部３２は、前処理部３０から投影データを読み出し、読み出された投影データに再構成処理を施して、ＳＰＥＣＴ画像のデータを生成する。なお、前処理部３０及び再構成処理部３２は、投影データに再構成処理を施して画像データを生成する再構成手段を構成している。
【００４０】
ＳＰＥＣＴ画像のデータは、被検体Ｐ内の撮影対象の臓器Ｔを切断する複数の断面に関して、ＲＩの濃度分布を表している。生成されたＳＰＥＣＴ画像は、収集条件の１つである収集拡大率に応じて拡大されている。生成されたＳＰＥＣＴ画像のデータは、画像処理装置４０に搭載される記憶部４２に供給される。
【００４１】
画像処理装置４０は、記憶部４２、表示部５２、入力部５４、及びシステム制御部５６を備える。
【００４２】
記憶部４２は、ハードディスクや半導体メモリ等からなる記憶装置を含む。記憶部４２は、再構成処理部３２からの複数のＳＰＥＣＴ画像のデータを記憶する。また、記憶部４２は、ＳＰＥＣＴ収集を行なうための制御プログラムや画像処理を行なうための画像処理プログラムを記憶する。
【００４３】
表示部５２は、例えばＣＲＴディスプレイや、液晶ディスプレイ、有機ＥＬディスプレイ、プラズマディスプレイ等の表示デバイスを備える。表示部５２は、再構成処理部３２により生成されたＳＰＥＣＴ画像を表示する。
【００４４】
入力部５４は、キーボードやマウス、各種ボタン、タッチキーパネル等の入力デバイスを備える。入力部５４は、ユーザによる入力デバイスの操作により収集条件や収集開始指示、画像処理の開始、ＲＯＩ位置、を入力したりする。
【００４５】
システム制御部５６は、核医学診断装置１の中枢として機能する。具体的には、システム制御部５６は、記憶部４２に記憶されている制御プログラムを読みだしてメモリ上に展開し、核医学診断装置１の各部を制御することによってＳＰＥＣＴ収集を実行する。
【００４６】
次に、以上のように構成されたＳＰＥＣＴ装置の動作について説明する。
【００４７】
ＳＰＥＣＴ装置１では、被検体Ｐが載置された天板５及び追加の天板５ａが長手方向、横手方向、上下方向に移動され、天板５が中空部１１内に送り込まれる。
【００４８】
続いて、図３に示したように、中空部１１の中心線に一致する回転軸ＲＡが被検体Ｐ内の撮影対象の臓器Ｔを貫くように、寝台３、天板５及び被検体Ｐの位置が調整される。
【００４９】
具体的には、追加天板５ａ及びクッション５ｂを用い、被検体Ｐの体軸を回転軸ＲＡに交差させた状態にすることにより、左右方向の中心位置を合わせる。上下方向は寝台３の移動により合わせる。また、有効視野ＥＦの中心に撮影対象の臓器Ｔが位置したか否かは、モニタ用として表示部５２に表示されるＳＰＥＣＴ画像により確認される。モニタ用のＳＰＥＣＴ画像は、位置合わせ用の粗い画像である。なお、撮影対象の臓器Ｔは、この例では心臓など体軸に対し偏った位置にある臓器を想定している。
【００５０】
位置合わせが終了すると、ＳＰＥＣＴ装置１はＳＰＥＣＴ撮影を行う。ＳＰＥＣＴ撮影では、前述した位置合わせにより、有効視野ＥＦの中心に配置した臓器ＴのＳＰＥＣＴ画像を生成することができる。
【００５１】
上述したように本実施形態によれば、追加天板５ａ及びクッション５ｂが被検体Ｐを天板５の長手方向に対して斜めに支持するので、図５に示すように、心臓など体軸に対し偏った位置にある臓器Ｔについても、有効視野の中心（回転軸ＲＡ）に容易に配置することができる。
【００５２】
なお、従来技術では、前述した通り、心臓など体軸に対し偏った位置にある臓器Ｔについては有効視野ＥＦの中心（回転軸ＲＡ）に配置することが困難である（図６）。
【００５３】
＜第２の実施形態＞
図７は第２の実施形態に係るＳＰＥＣＴ装置の一部の外観を示す模式図であり、前述した図面と同一部分には同一符号を付してその詳しい説明を省略し、ここでは異なる部分について主に述べる。なお、以下の各実施形態も同様にして重複した説明を省略する。
【００５４】
第２の実施形態は、第１の実施形態の変形例であり、追加天板５ａ及びクッション５ｂに代えて、天板５に一端が着脱自在に取り付けられ、他端がクッション５ｄに取り付けられたベルト５ｃと、当該クッション５ｄとを備えている。
【００５５】
なお、クッション５ｄは、被検体Ｐと天板５との間に配置される。
【００５６】
ベルト５ｃは、クッション５ｄと天板５とを接続する。ベルト５ｃが取り付けられる天板５上の位置は、例えば、被検体Ｐを偏らせずに仰向けに天板５に載置した際に、当該被検体Ｐの心臓が位置する辺りである。
【００５７】
次に、以上のように構成されたＳＰＥＣＴ装置の動作について説明する。
【００５８】
ＳＰＥＣＴ装置１では、図８及び図９に示すように、ベルト５ｃを被検体Ｐに巻き付けつつ、被検体Ｐの右胸を上げるように（臓器Ｔ（心臓）を下げるように）被検体Ｐの右背面にクッション５ｄが配置される。すなわち、被検体Ｐは、体軸に対して回転した状態でベルト５ｃ及びクッション５ｄに支持される。
【００５９】
この状態で、被検体Ｐが載置された天板５が長手方向、横手方向、上下方向に移動され、天板５が中空部１１内に送り込まれる。
【００６０】
続いて、図９に示したように、中空部１１の中心線に一致する回転軸ＲＡが被検体Ｐ内の撮影対象の臓器Ｔを貫くように、寝台３、天板５、ベルト５ｃ、クッション５ｄ及び被検体Ｐの位置が調整される。
【００６１】
具体的には、ベルト５ｃ及びクッション５ｄに支持された被検体Ｐの傾き具合を調整しつつ、左右方向の中心位置を合わせる。上下方向は寝台３の移動により合わせる。
【００６２】
モニタ用のＳＰＥＣＴ画像により位置合わせが確認された後、ＳＰＥＣＴ装置１はＳＰＥＣＴ撮影を行う。ＳＰＥＣＴ撮影では、前述した位置合わせにより、有効視野ＥＦの中心に配置した臓器ＴのＳＰＥＣＴ画像を生成することができる。
【００６３】
上述したように本実施形態によれば、ベルト５ｃ及びクッション５ｄで被検体Ｐを支持する構成としても、第１の実施形態と同様の効果を得ることができる。
【００６４】
＜第３の実施形態＞
図１０は第３の実施形態に係るＳＰＥＣＴ装置の構成を説明するための模式図である。
【００６５】
第３の実施形態は、第１の実施形態の変形例であり、寝台３の天板支持機構（図示せず）が、前述した天板５及び追加天板５ａを長手方向、横手方向、上下方向に個々に移動可能に支持することに加え、当該天板５及び追加天板５ａを回転軸ＲＡに鉛直方向に直交する鉛直軸ＶＡを中心に回転可能に支持している。すなわち、天板５及び追加天板５ａは、鉛直軸ＶＡを中心に略水平方向に回転可能となっている。詳しくは、追加天板５ａは、天板５上に略水平方向に回転可能に配置され、天板５の長辺よりも短い長辺を有し、天板５の短辺よりも長い短辺を有する。
【００６６】
次に、以上のように構成されたＳＰＥＣＴ装置の動作について説明する。
【００６７】
ＳＰＥＣＴ装置１では、被検体Ｐが載置された天板５及び追加の天板５ａが長手方向、横手方向、上下方向に移動され、天板５が中空部１１内に送り込まれる。
【００６８】
続いて、図３に示したように、中空部１１の中心線に一致する回転軸ＲＡが被検体Ｐ内の撮影対象の臓器Ｔを貫くように、寝台３、天板５、追加天板５ａ及び被検体Ｐの位置が調整される。
【００６９】
具体的には、天板５及び追加天板５ａを鉛直軸ＶＡを中心に回動させ、被検体Ｐの体軸を回転軸ＲＡに交差させた状態にすることにより、左右方向の中心位置を合わせる。上下方向は寝台３の移動により合わせる。
【００７０】
モニタ用のＳＰＥＣＴ画像により位置合わせが確認された後、ＳＰＥＣＴ装置１はＳＰＥＣＴ撮影を行う。ＳＰＥＣＴ撮影では、前述した位置合わせにより、有効視野ＥＦの中心に配置した臓器ＴのＳＰＥＣＴ画像を生成することができる。
【００７１】
上述したように本実施形態によれば、天板５及び追加天板５ａで被検体Ｐを略水平方向に回転可能に支持する構成としても、第１の実施形態と同様の効果を得ることができる。
【００７２】
なお、本実施形態は、図１１（ａ）及び図１１（ｂ）に示すように、変形してもよい。すなわち、天板５が回転せず、追加天板５ａのみが鉛直軸ＶＡを中心に略水平方向に回転可能な構成に変形してもよい。このように変形しても、第３の実施形態と同様の効果を得ることができる。
【００７３】
＜第４の実施形態＞
次に、第４の実施形態に係るＳＰＥＣＴ装置について説明する。
【００７４】
第４の実施形態は、第１の実施形態の変形例であり、回転軸周りに固定的に設けられた複数の検出器１４によりデータを収集する固定タイプのＳＰＥＣＴ装置に適用される。補足すると、複数の検出器１４は、被検体の周りを回転させずに固定的に設けられている。
【００７５】
これに伴い、前述した追加天板５ａ及びクッション５ｂを省略し、前述したコリメータ１３に代えて、図１２に示す如き、非対称なコリメータ１３’を検出器１４の前面に備えている。
【００７６】
ここで、コリメータ１３’は、検出器中心ｄｃから伸ばした垂線ＰＬ上（検出手段の中心軸上）に有効視野ＥＦの中心Ｏが位置しない構成であり、例えば、ガンマ線遮蔽材からなり、仮想の焦点が検出器中心ｄｃから伸ばした垂線ＰＬ上にない複数の隔壁、又は偏った位置の頂部にピンホールを有する略円錐形板のガンマ線遮蔽材が形成されている。
【００７７】
すなわち、コリメータ１３’は、検出器中心ｄｃから伸ばした垂線ＰＬ上からファンビームの焦点位置を外したファンビームコリメータ、又は当該垂線ＰＬからピンホールの向きを外したピンホールコリメータとなっている。なお、第１の実施形態に用いたコリメータ１３は、図１３に示すように、検出器中心ｄｃから伸ばした垂線ＰＬ上に有効視野ＥＦの中心Ｏが位置する構成となっている。
【００７８】
以上のような構成によれば、非対称なコリメータ１３’が有効視野の中心Ｏを検出器中心ｄｃからの垂線ＰＬから偏らせるので、心臓など体軸に対し偏った位置にある臓器についても、有効視野の中心に容易に配置させることができる。
【００７９】
以上説明した少なくとも一つの実施形態によれば、被検体Ｐ内の撮影対象の臓器Ｔの位置、又は有効視野ＥＦの中心Ｏの位置を偏らせる構成により、心臓など体軸に対し偏った位置にある臓器についても、有効視野の中心に容易に配置させることができる。
【００８０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１…ＳＰＥＣＴ装置（核医学診断装置）、３…寝台、５…天板、５ａ，５ｅ…追加天板、５ｂ，５ｄ…クッション、５ｃ…ベルト、１０…ガントリ、１１…中空部、１２…回転フレーム、１３…コリメータ、１４…検出器、１５…シンチレータ、１６…天板、１８…回転駆動部、２０…コンピュータ装置、２２…位置信号生成部、２４…エネルギー信号生成部、２６…データ収集部、２８…収集制御部、３０…前処理部、３２…再構成処理部、４０…画像処理装置、４２…記憶部、５２…表示部、５４…入力部、５６…システム制御部、Ｐ…被検体、ＲＡ，ＲＡ２…回転軸、Ｔ…臓器。
【図１】
2014035209.tif 000003
【図２】
2014035209.tif 000004
【図３】
2014035209.tif 000005
【図４】
2014035209.tif 000006
【図５】
2014035209.tif 000007
【図６】
2014035209.tif 000008
【図７】
2014035209.tif 000009
【図８】
2014035209.tif 000010
【図９】
2014035209.tif 000011
【図１０】
2014035209.tif 000012
【図１１】
2014035209.tif 000013
【図１２】
2014035209.tif 000014
【図１３】
2014035209.tif 000015
【図１４】
2014035209.tif 000016
【図１５】
2014035209.tif 000017